(57)【要約】【課題】対象物に粘着している粘着部をそのまま剥がす場合と比して、弱い力で対象物に粘着している粘着部を剥がすことができる粘着ユニット、及び糞便袋を得る。【解決手段】粘着ユニット４０及び糞便袋１０は、多孔質層と多孔質層に重ねられた粘着層とを有する粘着部と、多孔質層と接触するように配置され、粘着剤の溶剤で、かつ、親水性を有する液体を内部に有し、押圧すると液体が粘着部側に流れる液部とを備えている。【選択図】図１
2019129943.tif 000002
【特許請求の範囲】
【請求項１】
多孔質層と前記多孔質層に重ねられた粘着層とを有する粘着部と、
前記多孔質層と接触するように配置され、前記粘着層を構成する粘着剤の溶剤で、かつ、親水性を有する液体を内部に有し、押圧すると前記液体が前記粘着部側に流れる液部と、
を備える粘着ユニット。
【請求項２】
袋と、
前記袋の開口部分の周囲に取り付けられ、前記袋の内部を外部に開放するように円環状に形成された薄板材と、
前記開口部分を囲むように、前記袋の開口側から前記薄板材に取り付けられ、前記薄板材側の多孔質層と前記多孔質層に重ねられた粘着層とを有する粘着部と、
前記多孔質層と接触するように前記薄板材に取り付けられ、前記粘着層を構成する粘着剤の溶剤で、かつ、親水性を有する液体を内部に有し、押圧すると前記液体が前記粘着部側に流れる液部と、
を備える糞便袋。
【請求項３】
前記粘着層を構成する粘着剤は、アクリル系の粘着剤であって、前記液体は、エタノールである請求項２に記載の糞便袋。
【請求項４】
前記液部に対して前記開口部分側で前記液部と接触し、前記袋の開口側から前記薄板材に取り付けられた多孔質体を備え、
前記液体は、オイルを含んでおり、前記液部を押圧すると内部の液体が前記多孔質体側にも流れる請求項２又は３に記載の糞便袋。
【請求項５】
前記液部に対して前記多孔質体とは反対側で、前記液部と離間するように、前記袋の開口側から前記薄板材に取り付けられた他の多孔質体を備える請求項４項に記載の糞便袋。
【発明の詳細な説明】
【技術分野】
【０００１】
本発明は、粘着ユニット、及び糞便袋に関する。
【背景技術】
【０００２】
特許文献１に記載の糞便袋は、便を収納する袋本体部と、この袋本体部の開口部に結合され、皮膚に接着する接着剤が設けられた接着部と、この接着部に貼着された剥離紙と、袋本体部の一部に設けられ、薬剤を収納して外部から薬剤を把持可能とする収納部とを備えている。
【先行技術文献】
【特許文献】
【０００３】
【特許文献１】特開２００８‐２５３５８４号公報
【発明の概要】
【発明が解決しようとする課題】
【０００４】
従来の糞便袋では、使用者が糞便袋を使用する場合に、使用者の皮膚に糞便袋の粘着部を粘着させる。そして、糞便袋を使用した後に、使用者の皮膚（対象物）から粘着部を剥がす。しかし、粘着部が粘着している粘着力が強いと、使用者が痛さを感じる。
【０００５】
本発明の課題は、対象物に粘着している粘着部をそのまま剥がす場合と比して、弱い力で対象物に粘着している粘着部を剥がすことである。
【課題を解決するための手段】
【０００６】
本発明の請求項１に係る粘着ユニットは、多孔質層と前記多孔質層に重ねられた粘着層とを有する粘着部と、前記多孔質層と接触するように配置され、前記粘着層を構成する粘着剤の溶剤で、かつ、親水性を有する液体を内部に有し、押圧すると前記液体が前記粘着部側に流れる液部と、を備えることを特徴とする。
【０００７】
上記構成によれば、粘着部の粘着層を対象物に粘着させる。そして、粘着ユニットを対象物から剥がす場合に、液部を押圧することで、液体が粘着部側に流れる。液体は、親水性を有する液体であるため、多孔質層を濡れ広がり、粘着層の全体に染み込む。また、液体は、粘着層を構成する粘着剤の溶剤であるため、接着剤が液体に溶ける。これにより、対象物に粘着している粘着部をそのまま剥がす場合と比して、弱い力で対象物に粘着している粘着部を剥がすことができる。
【０００８】
本発明の請求項２に係る糞便袋は、前記袋の開口部分の周囲に取り付けられ、前記袋の内部を外部に開放するように円環状に形成された薄板材と、前記開口部分を囲むように、前記袋の開口側から前記薄板材に取り付けられ、前記薄板材側の多孔質層と前記多孔質層に重ねられた粘着層とを有する粘着部と、前記多孔質層と接触するように前記薄板材に取り付けられ、前記粘着層を構成する粘着剤の溶剤で、かつ、親水性を有する液体を内部に有し、押圧すると前記液体が前記粘着部側に流れる液部と、を備えることを特徴とする。
【０００９】
上記構成によれば、糞便袋における粘着部の粘着層を使用者の臀部に粘着させる。そして、粘着部の粘着層を使用者の臀部から剥がす場合に、液部を押圧することで、液体が粘着部側に流れる。液体は、親水性を有する液体であるため、多孔質層を濡れ広がり、粘着層の全体に染み込む。また、液体は、粘着層を構成する粘着剤の溶剤であるため、接着剤が液体に溶ける。これにより、使用者の臀部に粘着している粘着部をそのまま剥がす場合と比して、弱い力で臀部（対象物）に粘着している粘着部を剥がすことができる。
【００１０】
本発明の請求項３に係る糞便袋は、請求項２に記載の糞便袋において、前記粘着層を構成する粘着剤は、アクリル系の粘着剤であって、前記液体は、エタノールであることを特徴とする。
【００１１】
上記構成によれば、粘着剤は、アクリル系の粘着剤であって、液体は、エタノールである。このため、液体が人体に与える影響を抑えることができる。
【００１２】
本発明の請求項４に係る糞便袋は、請求項２又は３に係る糞便袋において、前記液部に対して前記開口部分側で前記液部と接触し、前記袋の開口側から前記薄板材に取り付けられた多孔質体を備え、前記液体は、オイルを含んでおり、前記液部を押圧すると内部の液体が前記多孔質体側にも流れることを特徴とする。
【００１３】
上記構成によれば、使用者が便を糞便袋の袋に排出した後、粘着部の粘着層を使用者の臀部から剥がす場合に、液部を押圧することで、液体が多孔質体側にも流れる。液体は、オイルを含んでいるため、多孔質体は濡れた状態となる。この濡れた多孔質体を用いて、肛門の周りに付着した便を拭き取る。このため、乾燥した多孔質体を用いる場合と比して、肛門の周りに付着した便を容易に拭き取ることができる。
【００１４】
本発明の請求項５に係る糞便袋は、請求項４に記載の糞便袋において、前記液部に対して前記多孔質体とは反対側で、前記液部と離間するように、前記袋の開口側から前記薄板材に取り付けられた他の多孔質体を備えることを特徴とする。
【００１５】
上記構成によれば、使用者が便を糞便袋の袋に排出した後、粘着部の粘着層を使用者の臀部から剥がす場合に、液部を押圧することで、液体が多孔質体側にも流れる。液体は、オイルを含んでいるため、多孔質体は濡れた状態となる。この濡れた多孔質体を用いて、肛門の周りに付着した便を拭き取る。このため、肛門の周りは、濡れた状態となる。
【００１６】
ここで、他の多孔質体は、液部と離間するように薄板材に取り付けられているため、液部が押圧されることで流れる液体は、他の多孔質体には染み込まない。そこで、乾燥した他の多孔質体を用いて、濡れた肛門の周りを払拭する。このため、濡れた多孔質体を用いる場合と比して、肛門の周りに付着したオイルを容易に払拭することができる。
【発明の効果】
【００１７】
本発明によれば、対象物に粘着している粘着部をそのまま剥がす場合と比して、弱い力で対象物に粘着している粘着部を剥がすことができる。
【図面の簡単な説明】
【００１８】
【図１】本発明の実施形態に係る糞便袋を示した断面図である。
【図２】本発明の実施形態に係る糞便袋を示した斜視図である。
【図３】本発明の実施形態に係る糞便袋を示した断面図である。
【図４】（Ａ）（Ｂ）本発明の実施形態に係る糞便袋であって、糞便袋を臀部から剥がす動作を示した断面図である。
【図５】（Ａ）（Ｂ）本発明の実施形態に係る糞便袋であって、肛門の周りに付着した便を拭き取る動作を示した断面図である。
【図６】本発明の実施形態に係る糞便袋に用いられた粘着部を評価するための評価方法を説明するのに用いた斜視図である。
【図７】本発明の実施形態に係る糞便袋に用いられた粘着部を評価した結果を表で示した図面である。
【図８】（Ａ）（Ｂ）本発明の実施形態に係る糞便袋であって、肛門の周りに付着した便を拭き取る拭き取り性を評価した結果を説明するのに用いた模式図である。
【図９】（Ａ）（Ｂ）本発明の実施形態に係る糞便袋であって、肛門の周りに付着した便を拭き取る拭き取り性を評価した結果を説明するのに用いた模式図である。
【発明を実施するための形態】
【００１９】
本発明の実施形態に係る粘着ユニット、及びこの粘着ユニットを備えた糞便袋の一例について図１〜図９を用いて説明する。なお、各図に示す矢印ＵＰは、上方を示す。
【００２０】
（全体構成）
本実施形態に係る糞便袋１０は、おむつと併用し肛門Ｋの周りの臀部Ｄに直接貼って使用されるものであって、図１、図２に示されるように、袋１２と、袋１２に取り付けられたフィルム材２０とを備えている。さらに、糞便袋１０は、フィルム材２０に取り付けられた粘着部５０と、液部６０と、拭取部７０と、払拭部８０とを備えている。フィルム材２０は、薄板材の一例である。
【００２１】
（袋１２、フィルム材２０）
袋１２は、塩化ビニール等の材料を用いて形成されており、本実施形態では、一例として厚さ５〔μｍ〕とされている。そして、袋１２は、周状の開口端部である開口部分１２Ａと、開口部分１２Ａに囲まれると共に袋１２の内部に排出される便が通過する口１２Ｂを有している。
【００２２】
フィルム材２０は、ポリエチレン等の材料を用いて真空成型によって立体的に形成されており、本実施形態では、厚さ２００〔μｍ〕とされている。このフィルム材２０は、袋１２の開口部分１２Ａに溶着によって取り付けられ、フィルム材２０には、袋１２の内部を外部に開放する貫通孔２０Ａが形成されている。
【００２３】
具体的には、フィルム材２０においては、袋１２の開口部分１２Ａの周方向に直交する方向に切断した切断面が全ての位置で同様の形状とさた円環状とれている。また、フィルム材２０は、袋１２の開口部分１２Ａと袋１２の外側から重なる内周縁部２２と、内周縁部２２において袋１２が開口される側（以下「開口側」、図中上側）に接続され、開口側を向く本体部２４とを有している。そして、フィルム材２０の内周縁部２２が、袋１２の開口部分１２Ａに溶着されている。
【００２４】
また、本体部２４には、袋１２の口１２Ｂの径方向の内側（口１２Ｂに近づく側、以下「径方向内側」）から径方向の外側（口１２Ｂから遠ざかる側、以下「径方向外側」）に向かって、内周部２４Ａ、中間部２４Ｂ、外周部２４Ｃ、及びフランジ部２４Ｄがこの順番で形成されている。
【００２５】
内周部２４Ａは、断面Ｌ字状とされており、内周部２４Ａの先端は、袋１２の開口側を向いている。中間部２４Ｂは、内周部２４Ａの先端に接続され、内周部２４Ａの先端から径方向外側に延びている平面状とされている。  
【００２６】
外周部２４Ｃは、中間部２４Ｂの先端に接続され、袋１２の開口側が開放された凹状とされており、外周部２４Ｃの先端は、中間部２４Ｂと比して袋１２の開口側に延びている。フランジ部２４Ｄは、外周部２４Ｃの先端に接続され、袋１２の開口側が凸となる湾曲状とされている。
【００２７】
（拭取部７０、液部６０）
拭取部７０、及び液部６０は、フィルム材２０の本体部２４における内周部２４Ａの開口側に取り付けられている。そして、拭取部７０と液部６０とは、径方向内側から径方向外側に向かってこの順番に並んでいる。
【００２８】
−液部６０−
液部６０は、Ｌ字状の内周部２４Ａの角部に接触するように配置され、円環状とされている。そして、液部６０は、周方向に対して直交する方向に切断した切断面が円筒状の被覆膜６２と、被覆膜６２の内部の液体６４とを有している。
【００２９】
被覆膜６２は、塩化ビニール等の材料を用いて形成されており、外部から押圧されると破れるような厚さとされている。そして、図示せぬ接着剤等を用いて、内周部２４Ａの開口側に取り付けられている。
【００３０】
液体６４は、後述する粘着剤の溶剤で、かつ、親水性を有するエタノールと、常温で粘性が比較的低く、かつ、揮発性が低いオイルで化粧品の原料にもなる流動パラフィンとの混合液である。流動パラフィンはオイルの一例である。なお、液体６４の量については、後述する脱脂綿７２及び不織布５２に吸収される量で、不織布５２を介して後述する脱脂綿８２には流れない量である。
【００３１】
ここで、親水性を有する液体とは、例えば、接触角（ＪＩＳ．Ｒ．３２５７：１９９９）が１０〔度〕以下の液体である。また、粘性が比較的低い液体とは、例えば、粘土（ＪＩＳ  Ｚ  ８８０３：２０１１）が２４〔℃〕で４０〔ｍＰａ・ｓ〕から７５〔ｍＰａ・ｓ〕の液体である。さらに、溶剤とは、接着剤が溶けるアルコールである。また、オイルとは、流動性パラフィンなどの鉱物油やスクワランなどの天然由来オイルである。
【００３２】
−拭取部７０−
拭取部７０は、液部６０に対して径方向内側で、液部６０及び内周部２４Ａに接触するように配置され、円環状とされている。そして、拭取部７０は、周方向に対して直交する方向に切断した切断面が開口側に延びる矩形状とされた脱脂綿７２（所謂化粧用コットン）を備えている。この脱脂綿７２は、液部６０に対して、開口側に突出している。脱脂綿７２は、多孔質体の一例である。
【００３３】
ここで、多孔質とは、液体が通過可能な連続した複数の空間を有する構造であって、多孔質体には、不織布、織布、及び脱脂綿等を含む。
【００３４】
（粘着部５０）
粘着部５０は、拭取部７０に対して径方向外側で、かつ、液部６０に対して開口側で、拭取部７０、液部６０、及びフィルム材２０の中間部２４Ｂに接触するように配置され、円環状とされている。そして、粘着部５０は、周方向に対して直交する方向に切断した切断面が口１２Ｂの径方向に延びる矩形状とされており、不織布５２と、粘着層５４と、粘着層５４を覆う離型紙（図示省略）とを備えている。不織布５２と粘着層５４とは、液部６０及び中間部２４Ｂから開口側に向かってこの順番に並んでいる。不織布５２は、多孔質層の一例である。なお、多孔質層には、不織布、織布、及び脱脂綿等を含む。
【００３５】
不織布５２は、図示せぬ接着剤等を用いて、液部６０及びフィルム材２０の中間部２４Ｂに取り付けられている。
【００３６】
粘着層５４は、不織布５２の開口側に形成されており、アクリル系の粘着剤で構成されている。そして、粘着層５４の開口側の位置と、拭取部７０の脱脂綿７２の開口側の位置とは、不織布５２の厚さ方向で同様となっている。
【００３７】
なお、粘着部５０と液部６０とを含んで、袋１２を使用者の臀部Ｄに粘着させる粘着ユニット４０が形成されている。
【００３８】
（払拭部８０）
払拭部８０は、液部６０に対して拭取部７０とは反対側（径方向外側）で、粘着部５０及びフィルム材２０の外周部２４Ｃに接触するように配置され、円環状とされている。また、口１２Ｂの径方向で、払拭部８０は、液部６０と離間している。そして、払拭部８０は、周方向に対して直交する方向に切断した切断面が開口側に延びる矩形状とされた脱脂綿８２（所謂化粧用コットン）を備えている。この脱脂綿８２の開口側の位置は、粘着層５４の開口側の位置と、不織布５２の板厚方向で同様となっている。脱脂綿８２は、他の多孔質体の一例である。
【００３９】
（作用）
次に、糞便袋１０の作用について説明する。
先ず、糞便袋１０を使用する場合は、図１に示されるように、袋１２の口１２Ｂが使用者の肛門Ｋと対向するように、糞便袋１０の粘着部５０を使用者の臀部Ｄに貼り付ける。使用者が、糞便袋１０を貼った状態で排便すると、図３に示されるように、糞便袋１０の袋１２に便が排出される。
【００４０】
袋１２に便が排出されると、使用者を介護する介護者、又は使用者が、図４（Ａ）に示されるように、一対の指先Ｓで、袋１２の開口部分１２Ａを摘まむ。さらに、介護者又は使用者は、図４（Ａ）（Ｂ）に示されるように、指先Ｓを臀部Ｄに向けて移動させて、液部６０を押圧する。これにより、液部６０の被覆膜６２が破れ、液部６０の液体６４が、粘着部５０の不織布５２側、及び拭取部７０の脱脂綿７２側へ流れる。
【００４１】
不織布５２側に流れた液体６４に含まれているエタノールは、親水性を有するため、不織布５２全体に濡れ広がり、粘着部５０の粘着層５４に染み込む。ここで、粘着層５４は、アクリル系の粘着剤で構成されているため、アクリル系の接着剤がエタノールに溶ける。また、脱脂綿７２側に流れた液体６４に含まれているオイル（流動パラフィン）は、揮発性が低いため、脱脂綿７２が濡れた状態となる。
【００４２】
そして、粘着層５４を構成するアクリル系の接着剤が、液体６４に含まれているエタノールに溶けることで、粘着層５４の臀部Ｄに対する粘着力が弱くなる。そこで、介護者、又は使用者は、指先Ｓを袋１２の口１２Ｂの径方向に移動させて糞便袋１０の粘着層５４を臀部Ｄから剥がす。
【００４３】
なお、払拭部８０は、口１２Ｂの径方向で液部６０と離間しているため、液部６０の液体６４が払拭部８０の脱脂綿８２に染み込むことはなく、払拭部８０の脱脂綿８２は、乾燥した状態が維持される。
【００４４】
ここで、糞便袋１０の粘着部５０の剥がし性評価を行ったので、この評価について説明する。具体的には、人間の皮膚に粘着させた粘着部５０を剥がす剥がし力について評価した。
【００４５】
−剥がし性評価−
皮膚として、縫合トレーニング用人工皮膚（株式会社レジーナのＷ６４５３３）を用いた。また、粘着部５０としては、不織布とアクリル系の粘着剤とから形成されている粘着テープ（久光製薬株式会社のシップメイト）を用いた。
【００４６】
１．評価方法
図６に示されるように、縫合トレーニング用人工皮膚２００（以下「人工皮膚２００」）に、矩形状の粘着テープ２１０の一部を貼り付ける。粘着テープ２１０において人工皮膚２００に貼り付けられている部分の大きさは、３０〔ｍｍ〕×５０〔ｍｍ〕とする。さらに、粘着テープ２１０において人工皮膚２００に貼り付けられていない部分を把持し、貼り付けられている部分と貼り付けられていない部分との成す角度が９０度になるようにして、プッシュプルゲージ２２０（以下「ゲージ２２０」）を用いて粘着テープ２１０を引っ張る。そして、ゲージ２２０で粘着テープ２１０を引っ張ることで、粘着テープ２１０を人工皮膚２００から剥がす。
【００４７】
ゲージ２２０で計測された最大荷重を、粘着テープ２１０の剥がし力とする。なお、評価した各仕様については、夫々３回評価を行った。
【００４８】
２．評価仕様
・実施例１：粘着テープ２１０を人工皮膚２００に貼り付けた状態で、粘着テープ２１０にエタノール１〔ｃｃ〕を滴下して５秒後に、粘着テープ２１０を剥がした。
【００４９】
・実施例２：粘着テープ２１０を人工皮膚２００に貼り付けた状態で、粘着テープ２１０にエタノール０．５〔ｃｃ〕と流動パラフィン０．５〔ｃｃ〕とを滴下して５秒後に、粘着テープ２１０を剥がした。
【００５０】
・比較例１：粘着テープ２１０を人工皮膚２００に貼り付けた状態で、粘着テープ２１０に液体を滴下することなく、粘着テープ２１０を剥がした。
【００５１】
・比較例２：粘着テープ２１０を人工皮膚２００に貼り付けた状態で、粘着テープ２１０に流動パラフィン１〔ｃｃ〕を滴下して５秒後に、粘着テープ２１０を剥がした。
【００５２】
・比較例３：粘着テープ２１０を人工皮膚２００に貼り付けた状態で、粘着テープ２１０に純水１〔ｃｃ〕を滴下して５秒後に、粘着テープ２１０を剥がした。
【００５３】
なお、流動パラフィンには、ＳＫ株式会社のＹＵＢＡＳＥ  ４（４０〔℃〕における動粘度が１９．６〔ｃＳｔ〕）を用いた。
【００５４】
３．評価結果
図７に示す表のように、実施例１、２の剥がし力〔Ｎ〕については、０．００〔Ｎ〕であった。一方、比較例１〜３の剥がし力〔Ｎ〕については、平均で０．１３〔Ｎ〕〜０．２９〔Ｎ〕であった。
【００５５】
この結果より、粘着テープ２１０にエタノール０．５〔ｃｃ〕〜１〔ｃｃ〕を滴下することで、粘着テープを剥がす剥がし力が弱まることが分かる。つまり、本実施形態の糞便袋１０の粘着部５０においては、液体６４に含まれているエタノールが、粘着部５０の粘着層５４に染み込むことで、粘着部５０を剥がす剥がし力が弱まることが分かる。なお、比較例２につても剥がし力が弱まったが、粘着部５０を剥がすときに使用者に痛さを与えない程度までは弱まっていないと判断した。
【００５６】
そして、粘着部５０を剥がす剥がし力が弱まり、介護者、又は使用者が、粘着部５０を臀部Ｄから剥がすと、図５（Ａ）に示されるように、一方の指先Ｓを肛門Ｋ側に移動させる。これにより、拭取部７０の脱脂綿７２が、肛門Ｋと接触して肛門Ｋの周りに付着した便を拭き取る。
【００５７】
ここで、拭取部７０の脱脂綿７２による拭き取り性評価を行ったので、この評価について説明する。具体的には、人間の皮膚に付着した模擬便を完全に拭き取る拭取回数について評価した。
【００５８】
−拭き取り性評価−
皮膚としては、人工皮膚２００を用いた。また、模擬便２３０としては、豆味噌：４７．１７〔ｗｔ％〕、  純水：４５〔ｗｔ％〕、  オクタン酸：２．１７〔ｗｔ％〕、及びＡＥＲＯＳＩＬ（登録商標）２００：５．６６〔ｗｔ％〕の混合物を用いた。
【００５９】
１．評価方法
図８（Ａ）（Ｂ）に示される拭き取り前のように、人工皮膚２００に、１〔ｇ〕の模擬便２３０を、約φ２０〔ｍｍ〕の大きさで付着させた。そして、電子ばかり（ＴＡＮＩＴＡ製  ＫＤ−３２１）に模擬便２３０を付着させた人工皮膚２００を載せ、この状態で、脱脂綿を人工皮膚２００に押し付けながら模擬便２３０を拭き取った。この拭取動作を複数回行った。なお、脱脂綿を人工皮膚２００に押し付ける荷重については、０．９８〔Ｎ〕〜１．４７〔Ｎ〕になるようにした。
【００６０】
２．評価仕様
・評価仕様１：エタノール０．５〔ｃｃ〕、及び流動パラフィン０．５〔ｃｃ〕を滴下した脱脂綿２４０（以下「湿潤脱脂綿２４０」）を用いて、人工皮膚２００に付着させた模擬便２３０を拭き取った。
【００６１】
・評価仕様２：乾燥した脱脂綿（以下「乾燥脱脂綿２５０」）を用いて、人工皮膚２００に付着させた模擬便２３０を拭き取った。
【００６２】
３．評価結果
図８（Ａ）には、評価仕様１で模擬便２３０を拭き取った後の人工皮膚２００の外観が、拭き取り毎に示されている。また、図９（Ａ）には、評価仕様１で模擬便２３０を拭き取った後の湿潤脱脂綿２４０の外観が、拭き取り毎に示されている。
【００６３】
図８（Ｂ）には、評価仕様２で模擬便２３０を拭き取った後の人工皮膚２００の外観が、拭き取り毎に示されている。また、図９（Ｂ）には、評価仕様２で模擬便２３０を拭き取った後の乾燥脱脂綿２５０の外観が、拭き取り毎に示されている。
【００６４】
この結果より、評価仕様１の湿潤脱脂綿２４０を用いて人工皮膚２００に付着した模擬便２３０を拭き取った場合は、拭取回数３回目で完全に模擬便２３０が拭き取られた。
【００６５】
これに対して、評価仕様２の乾燥脱脂綿２５０を用いて人工皮膚２００に付着した模擬便２３０を拭き取った場合は、拭取回数５回でも完全に模擬便２３０を拭き取ることができなかった。つまり、本実施形態の糞便袋１０の脱脂綿７２においては、液体６４に含まれているオイル（流動パラフィン）の揮発性が低いため、濡れた状態となる。このため、評価仕様１と同様に、本実施形態の脱脂綿７２では、人工皮膚２００に付着した模擬便２３０が容易に拭き取られることが分かる。
【００６６】
さらに、脱脂綿７２によって、肛門Ｋの周りに付着した便を拭き取ると、介護者、又は使用者は、図５（Ｂ）に示されるように、一方の指先Ｓを他方の指先Ｓ側に移動させる。これにより、払拭部８０の脱脂綿８２が、肛門Ｋと接触して肛門Ｋの周りに付着したオイルを払拭する。ここで、脱脂綿８２は乾燥した状態であるため、濡れた脱脂綿を用いる場合と比して、肛門Ｋの周りに付着したオイルが容易に払拭される。
【００６７】
その後、糞便袋１０を臀部Ｄから取り除くことで、袋１２に排出された便が処理される。
【００６８】
（まとめ）
以上説明したように、粘着部５０を使用者の臀部Ｄから剥がす場合に、アクリル系の粘着剤で形成されている粘着層５４に、粘着剤の溶剤であるエタノールを含む液体６４を染み込ませる。これにより、臀部Ｄ（対象物）に粘着している粘着部をそのまま剥がす場合と比して、弱い力で臀部Ｄに粘着している粘着部５０を剥がすことができる。
【００６９】
また、粘着剤の溶剤であるエタノールは、親水性を有しているため、不織布５２全体に濡れ広がり、粘着部５０の粘着層５４全体に染み込む。このため、粘着剤の溶剤が親水性を有していない場合と比して、弱い力で臀部Ｄに粘着している粘着部５０を剥がすことができる。
【００７０】
また、粘着層５４を形成する粘着剤はアクリル系の粘着剤であって、粘着剤の溶剤となる液体はエタノールである。このため、人体に与える影響を抑えることができる。
【００７１】
また、液体６４に含まれている、揮発性の低いオイル（流動パラフィン）が染み込んだ脱脂綿７２を用いて、肛門Ｋの周りに付着した便を拭き取る。このため、乾燥した脱脂綿を用いる場合と比して、便を容易に拭き取ることができる。
【００７２】
また、液部６０と指先Ｓとの間には、フィルム材２０が配置されているため、液部６０を押圧しても、指先Ｓに液体が付着するのが抑制される。
【００７３】
また、乾燥した脱脂綿８２を用いて、肛門Ｋの周りに付着したオイルを払拭するため、濡れた脱脂綿を用いる場合と比して、肛門Ｋの周りに付着したオイルを容易に払拭することができる。
【００７４】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記実施形態では、粘着層５４は、アクリル系の粘着剤で構成されたが、他の粘着剤等を用いてもよい。この場合は、アクリル系の粘着剤を用いることで奏する作用は奏しない。
【００７５】
また、上記実施形態では、粘着剤の溶剤としてエタノールを用いたが、アセトンや、ヘキサントン等を用いてもよい。この場合に、粘着剤の溶剤としてエタノールを用いることで奏する作用は奏しない。
【００７６】
また、上記実施形態では、オイルとして流動性パラフィンを用いたが、スクワランオイル、又はオリーブオイル等を用いてもよい。この場合に、オイルとして流動性パラフィンを用いることで奏する作用は奏しない。
【００７７】
また、上記実施形態では、糞便袋１０は、拭取部７０を備えたが、拭取部７０を備えなくてもよい。この場合に、拭取部７０を備えることで奏する作用は奏しない。
【００７８】
また、上記実施形態では、糞便袋１０は、払拭部８０を備えたが、払拭部８０を備えなくてもよい。この場合に、払拭部８０を備えることで奏する作用は奏しない。
【００７９】
また、上記実施形態では、拭取部７０、払拭部８０の多孔質体として、脱脂綿７２、８２を用いたが、多孔質体であればよく、不織布、スポンジ、メッシュ等であってもよい。
【００８０】
また、上記実施形態では、粘着部５０の多孔質層として、不織布５２を用いたが、多孔質層であればよく、スポンジ、メッシュ、脱脂綿等であってもよい。
【００８１】
また、上記実施形態では、粘着ユニット４０は、糞便袋１０に用いられたが、例えば、皮膚に粘着させるシップ等に用いてもよい。さらに、粘着ユニット４０として、粘着部５０と液部６０とを保持する保持部材を備えてもよい。
【００８２】
また、上記実施形態では、特に説明しなかったが、液部６０の周方向に内部の液体６４を分割する隔壁が形成されていてもよい。
【符号の説明】
【００８３】
１０    糞便袋
１２    袋
１２Ａ  開口部分
１２Ｂ  口
２０    フィルム材（薄板材の一例）
２０Ａ  貫通孔
４０    粘着ユニット
５０    粘着部
５２    不織布（多孔質層の一例）
５４    粘着層
６０    液部
６４    液体
７２    脱脂綿（多孔質体の一例）
８２    脱脂綿（他の多孔質体の一例）
【図１】
2019129943.tif 000003
【図２】
2019129943.tif 000004
【図３】
2019129943.tif 000005
【図４】
2019129943.tif 000006
【図５】
2019129943.tif 000007
【図６】
2019129943.tif 000008
【図７】
2019129943.tif 000009
【図８】
2019129943.tif 000010
【図９】
2019129943.tif 000011